(57)【要約】内側共鳴室を画定するラウドスピーカハウジングと、ハウジング内に配置され、対向して向き合うように配置された前面を有する少なくとも２つのラウドスピーカドライバとを備える、１６Ｈｚ〜７００Ｈｚの周波数を再生するためのオーディオラウドスピーカシステム。ハウジングは、共鳴室の幅をおおよそ画定する距離を置いて配置された直立した壁要素を備え、各壁要素は、第１および第２の側面および周縁面を備える。壁要素の第１の側面は、ハウジングの内面を構成し、共鳴室のエンクロージャを部分的に画定し、壁要素の第２の側面は、オーディオラウドスピーカシステムの外側面を構成する。ラウドスピーカドライバは、壁要素の第２の側面に配置され、ラウドスピーカドライバを密接に封入する略半球状カップ内に配置される。【選択図】図１
2021535647.tif 000002
【特許請求の範囲】
【請求項１】
１６Ｈｚ〜７００Ｈｚの周波数を再生するためのオーディオラウドスピーカシステムであって、内側共鳴室を画定するラウドスピーカハウジングと、前記ハウジング内に配置され、対向して向き合うように配置された前面を有する少なくとも２つのラウドスピーカドライバとを備え、
前記ハウジングは、前記共鳴室の幅をおおよそ画定する距離を置いて配置された、直立した第１および第２の対向かつ平行する壁要素を備え、各壁要素は、第１および第２の側面および周縁面を備え、前記周縁面の一部は、上縁面、下縁面、前記ラウドスピーカシステムの前部に向いた前縁面、および前記ラウドスピーカシステムの後部に向いた後縁面を画定し、
前記第１および第２の対向する壁要素の前記第１の側面は、前記ハウジングの内面を構成し、前記共鳴室のエンクロージャを部分的に画定し、前記第１および第２の壁要素の前記第２の側面は、前記オーディオラウドスピーカシステムの第１および第２の外側面を構成し、
前記ハウジングは更に、前記第１および第２の壁要素の間かつそれらの周縁に配置されたフレーム構造を備え、前記フレーム構造は、前記共鳴室のエンクロージャを部分的に画定し、
前記ラウドスピーカドライバは、それぞれ前記第１および第２の壁要素の前記第２の側面に配置され、前記ラウドスピーカドライバの前記前面は、前記共鳴室を向き、かつ互いに向き合っており、
前記対向するラウドスピーカドライバの各々は更に、前記第１および前記第２の壁要素の前記第２の側面に配置され、前記ラウドスピーカドライバを密接に封入する略半球状カップを備える、オーディオラウドスピーカシステム。
【請求項２】
前記半球状カップは、たとえば硬木、セラミック、プラスティックなどの外面層およびたとえばシンタクチックフォームなどの吸音材の少なくとも１つの内側層を有する積層構造を備える、請求項１に記載のオーディオラウドスピーカシステム。
【請求項３】
前記半球状カップは更に、前記外側層と前記内側層との間に中間層を備え、前記中間層は、たとえばブチルゴムなどの合成ゴムを備える、請求項２に記載のオーディオラウドスピーカシステム。
【請求項４】
前記吸音材は、セメント系シンタクチックフォームを備える、請求項２または３に記載のオーディオラウドスピーカシステム。
【請求項５】
前記フレーム構造は、前記ラウドスピーカシステムの前記前部に向いた少なくとも１つの開口ポートを備える、請求項１〜４のいずれかに記載のオーディオラウドスピーカシステム。
【請求項６】
前記半球状カップの各々は、前記ラウドスピーカシステムの前記後部に向いた少なくとも１つの開口後部ポートを備える、請求項１〜５のいずれかに記載のオーディオラウドスピーカシステム。
【請求項７】
前記開口後部ポートは、前記ラウドスピーカドライバの各々のピストン面積の約４分の１の開口面積を画定する、請求項６に記載のオーディオラウドスピーカシステム。
【請求項８】
前記対向するラウドスピーカドライバは、同調して動作するためのウーファである、請求項１〜７のいずれかに記載のオーディオラウドスピーカシステム。
【請求項９】
前記フレーム構造は、前記対向するラウドスピーカドライバより上に伸長し、前記フレーム構造は更に、各々が、前記ラウドスピーカシステムの前記後部方向に伸長する、閉管状に伸長し内側円錐形を有する球座として配置された漏斗形エンクロージャ内に配置された、少なくとも１つのミッドレンジドライバおよび／または少なくとも１つのスーパーツイータドライバを備える、請求項１〜８のいずれかに記載のオーディオラウドスピーカシステム。
【請求項１０】
前記漏斗形エンクロージャの各々は、たとえば合成または天然羊毛材などの振動減衰材を備える、請求項９に記載のオーディオラウドスピーカシステム。
【請求項１１】
前記直立した第１および第２の対向かつ平行する壁要素は、アクリルシート材を備える、請求項１〜１０のいずれかに記載のオーディオラウドスピーカシステム。
【請求項１２】
前記ラウドスピーカシステムは更に、前記共鳴室を通って伸長し、各ラウドスピーカドライバのフェイズプラグを相互連結するために配置されたドライバ連結手段を備え、前記ラウドスピーカドライバは、それらの後端にドライバ磁石を有し、前記半球状カップを通って前記磁石内へ伸長することにより前記ラウドスピーカドライバを前記半球状カップの間で連結され吊り下げられた状態に配置する、たとえばボルトなどの締付け手段を介して前記半球状カップに連結される、請求項１〜１１のいずれかに記載のオーディオラウドスピーカシステム。
【請求項１３】
前記スピーカシステムは、前記ラウドスピーカドライバの間かつ前記ドライバピストンの周縁において前記内側共鳴室内に配置されることにより前記ラウドスピーカドライバ間の前記共鳴室の前記内容積を制限する中間Ｃ字形要素を備える、請求項１〜１２のいずれかに記載のオーディオラウドスピーカシステム。
【請求項１４】
前記フレーム構造は、ト音記号形状を有する、請求項１〜１３のいずれかに記載のオーディオラウドスピーカシステム。
【請求項１５】
前記フレーム構造は、ヘ音記号形状を有する、請求項１〜１４のいずれかに記載のオーディオラウドスピーカシステム。
【発明の詳細な説明】
【技術分野】
【０００１】
本発明は、１６Ｈｚ〜７００Ｈｚの周波数を再生するためのオーディオラウドスピーカシステムに関する。
【背景技術】
【０００２】
家庭用オーディオシステムにおける使用に関して従来知られているラウドスピーカは、一般に、意図された聴取位置の方向へ音波を向けるように配置された長方形のエンクロージャおよびトランスデューサを備える。
【０００３】
物理学が示すことには、演奏に存在する最低周波数およびダイナミックレンジを再生するためには、大容積の空気が精密に動く必要がある。従来、通常のボックスラウドスピーカエンクロージャから低周波音を生成し、その基本共鳴周波数を低減するために、ラウドスピーカエンクロージャは、大容積の空気を取り入れる必要があり、その結果、ラウドスピーカは大きく嵩高になり、多くの場合、ダイナミックかつ明瞭な低音と引き換えに長期の低周波数応答を得るという音響的妥協案を用いる。
【０００４】
共鳴は、楽器固有のものであり、楽器の音特性を定めるものである。しかし、ラウドスピーカエンクロージャの振動および共鳴は、この不所望の付加音が、プログラムされた素材に存在しない歪み成分を付加するため、回避されなければならない。
【０００５】
しかし、従来の大容積ラウドスピーカに伴う問題は、トランスデューサがエネルギを囲まれた容積内へ放散し、それによってエンクロージャが様々な周波数で機械的に振動および共鳴する点である。エンクロージャが大きいほど、特に可聴音スペクトルの下端において、機械的振動および共鳴を回避または減衰することは困難になる。これらの機械的振動および共鳴は、直接音およびエンクロージャの表面による反射音として部屋に伝達し、ラウドスピーカドライバへ送信された原信号には存在しない付加音圧の混合をもたらし、原音の歪みの原因となる。
【０００６】
ＤＥ１９８３０９４７Ａ１号は、２つのトランスデューサが向かい合って配置され、エンクロージャ内に設置された、低周波音を生成するためのラウドスピーカを説明する。２つの対向するトランスデューサの設置は、ラウドスピーカドライバの非線形高調波歪みおよび相互変調歪みのキャンセルをもたらすが、対向するトランスデューサを封入する表面は、従来のスピーカと同様に、重度のエンクロージャ振動および共鳴をもたらす。また、この既知の設計に内在する問題点は、エンクロージャ寸法、ポート開口サイズ、および結果として生じるエンクロージャ空気容積と部屋とのインピーダンス結合によって決定される、約１８０ｈｚ〜３００Ｈｚにおける１０ｄＢ〜２０ｄＢ以上の典型的かつ顕著な共鳴ピークである。
【０００７】
したがって、本発明の目的は、低周波音におけるエンクロージャの共鳴および機械的振動をほぼ消去するようにオーディオラウドスピーカシステムを構成することである。
【０００８】
上述の目的および利点は、本発明の説明から明らかになる数々の他の目的および利点とともに、以下によって得られる本発明に従うものである。
【発明の概要】
【課題を解決するための手段】
【０００９】
１６Ｈｚ〜７００Ｈｚの周波数を再生するためのオーディオラウドスピーカシステムであって、内側共鳴室を画定するラウドスピーカハウジングと、ハウジング内に配置され、対向して向き合うように配置された前面を有する少なくとも２つのラウドスピーカドライバとを備え、
ハウジングは、共鳴室の幅をおおよそ画定する距離を置いて配置された、直立した第１および第２の対向かつ平行する壁要素を備え、各壁要素は、第１および第２の側面および周縁面を備え、周縁面の一部は、上縁面、下縁面、ラウドスピーカシステムの前部に向いた前縁面、およびラウドスピーカシステムの後部に向いた後縁面を画定し、
第１および第２の対向する壁要素の第１の側面は、ハウジングの内面を構成し、共鳴室のエンクロージャを部分的に画定し、第１および第２の壁要素の第２の側面は、オーディオラウドスピーカシステムの第１および第２の外側面を構成し、
ハウジングは更に、第１および第２の壁要素の間かつそれらの周縁に配置されたフレーム構造を備え、フレーム構造は、共鳴室のエンクロージャを部分的に画定し、
ラウドスピーカドライバは、それぞれ第１および第２の壁要素の第２の側面に配置され、ラウドスピーカドライバの前面は、共鳴室を向き、かつ互いに向き合っており、
対向するラウドスピーカドライバの各々は更に、第１および第２の壁要素の第２の側面に配置され、ラウドスピーカドライバを密接に封入する略半球状カップを備える、オーディオラウドスピーカシステム。
【００１０】
２つの対向する平行な壁要素の外側表面における２つの半球状カップとともにラウドスピーカドライバを配置することによって、所与のサイズのウーファに関して圧縮する全体空気容積が最適に低減される。この空気容積の低減は、バスポンプの低周波応答を延長し、所与の音圧レベルに必要なドライバピストンの可動域を低減することにより、一般的な１８０Ｈｚ〜３００Ｈｚの共鳴ピークより上の有用な動作周波数範囲を少なくとも３７０Ｈｚより上まで拡大する。
【００１１】
したがって、このラウドスピーカシステムは、２つの８インチまたは１０インチの長ストロークウーファを用いて既知の従来技術の１２インチのウーファと同様の性能を得ることを可能にする。また、略半球状設計を有するカップを配置することにより、所与の内容積に関して最小表面積がもたらされ、その結果、任意の所与の周波数帯域における最小の構造的共鳴ももたらされる。
【００１２】
より小さな物理的サイズとは別に、より小さなピストン面積の利点は、より低い運動質量であり、これは、より速い加速を可能にし、ラウドスピーカ振動板のブレークアップをより高い周波数にシフトすることにより、位相特性を改善し、バスシステムの動作範囲内の歪みを抑える。
【００１３】
本発明の更なる実施形態によると、略半球状カップは、たとえば硬木、セラミック、プラスティックなどの外面層およびたとえばシンタクチックフォームなどの吸音材の少なくとも１つの内側層を有する積層構造を備える。
【００１４】
本発明の更なる実施形態によると、半球状カップは更に、外側層と内側層との間に中間層を備え、中間層は、たとえばブチルゴムなどの合成ゴムを備える。
【００１５】
拘束層減衰とも称される、積層構造として略半球状カップを配置することは、エンクロージャの共鳴の減衰を向上させ、特に、硬質外面、内側吸音材、および合成ゴムを備える中間層を有するカップを配置することは、発明者による試験によると、特に好都合であることが証明された。
【００１６】
本発明の更なる実施形態によると、吸音材は、セメント系シンタクチックフォームを備える。
【００１７】
研究によると、セメント系シンタクチックフォームは、１００Ｈｚ〜５００Ｈｚの周波数における高い音響伝達損失、および本発明の共鳴ピークと一致する約３００Ｈｚ〜４００Ｈｚにおける約８０ｄＢの最大伝達損失を有することが分かっている。同様の成分を有するポリマ系フォームコアと比較した場合、セメント系フォームは、同等のエネルギ消散能力を有することにより、低周波共鳴吸音であることが分かった。
【００１８】
セメント系シンタクチックフォームで作られた吸音材の内側層を有することにより、任意の不所望のエンクロージャ振動および共鳴の更なる減衰がもたらされる。
【００１９】
本発明の更なる実施形態によると、フレーム構造は、上記ラウドスピーカシステムの上記前部に向いた少なくとも１つの開口ポートを備える。
【００２０】
好適には、前部ポートの開口面積は、ドライバのピストン面積の約３分の１であり、前部ポートは、開口前部ポートのアレイで構成され得る。
【００２１】
本発明の更なる実施形態によると、半球状カップの各々は、ラウドスピーカシステムの後部に向いた少なくとも１つの開口後部ポートを備える。
【００２２】
この前部および後部ポートの位置および寸法は、少なくとも１つの前部ポートからの音およびより低い音圧レベルかつ少なくとも１つの前部ポートからの音と同調しない少なくとも１つの後部ポートからの音を有する非対称無指向性音ばらつきパターンをもたらす。
【００２３】
本発明の更なる実施形態によると、開口後部ポートは、上記ラウドスピーカドライバの各々のピストン面積の約４分の１の開口面積を画定する。
【００２４】
上記開口面積を有する各カップの少なくとも１つの前部開口部および少なくとも１つの後部開口部を配置することは、エンクロージャ容積を最小限にすることと併用するドライバピストンの面積と比べて、発明者によって行われた試験によると、好適なエンクロージャ共鳴ピークが３７０Ｈｚより上であることにより既知の従来技術と比べて有用な動作周波数範囲を拡大することを示した。
【００２５】
本発明の更なる実施形態によると、対向するラウドスピーカドライバは、同調して動作するためのウーファである。
【００２６】
ラウドスピーカドライバの機械的変形および振動による任意の非線形歪みは、同調して動作する２つの対向するラウドスピーカドライバによって実質的に消去される。
【００２７】
本発明の更なる実施形態によると、フレーム構造は、対向するラウドスピーカドライバより上に伸長し、フレーム構造は更に、各々が、ラウドスピーカシステムの後部方向に伸長する、閉管状に伸長し内側円錐形を有する球座として配置された漏斗形エンクロージャ内に配置された、少なくとも１つのミッドレンジドライバおよび／または少なくとも１つのスーパーツイータドライバを備える。
【００２８】
ミッドレンジおよびスーパーツイータラウドスピーカユニットは、全体の平坦な音響応答のためにバスシステムと調和するように選択される。ミッドレンジおよびスーパーツイータエンクロージャは、スピーカドライバの背圧のエネルギを更に吸収するために調整および減衰されたラウドスピーカシステムの後部方向に伸長する球座として配置された略漏斗形エンクロージャを用いて最小限の回折のために最適化される。
【００２９】
ミッドレンジおよびスーパーツイータラウドスピーカユニットは、可能な限り互いに密接して取り付けられ、これは、スーパーツイータハウジングをミッドレンジハウジングの対応する溝内に置くことによって実現され、その結果、２つのドライバの音波が合わさる時に生じるはずのロービングが最小限になる。
【００３０】
本発明の更なる実施形態によると、漏斗形エンクロージャの各々は、たとえば合成または天然羊毛材などの振動減衰材を備える。
【００３１】
本発明の更なる実施形態によると、漏斗形エンクロージャの各々は、背圧音波を散乱させる質感を有する、たとえばシリコンまたはゴムなどの軟質吸音材を張り合わせられることにより、ラウドスピーカドライバ振動板に跳ね返る反響を最小限にする。
【００３２】
ラウドスピーカシステムの後部方向に伸長する漏斗形エンクロージャは、ある程度小型かつ高密度の好適には合成または天然羊毛材を備えることにより、漏斗形エンクロージャの任意の不所望のエンクロージャ共鳴を減衰する。
【００３３】
本発明の更なる実施形態によると、直立した第１および第２の対向かつ平行する壁要素は、アクリルシート材を備える。
【００３４】
発明者による研究によると、アクリルシート材、好適には透明アクリルシート材である直立した第１および第２の対向かつ平行する壁要素を配置することにより、スピーカエンクロージャが特に低共鳴になることが可能である。
【００３５】
本発明の更なる実施形態によると、ラウドスピーカシステムは更に、共鳴室を通って伸長し、各ラウドスピーカドライバのフェイズプラグを相互連結するために配置されたドライバ連結手段を備える。ラウドスピーカドライバは、それらの後端にドライバ磁石を有し、半球状カップを通って磁石内へ伸長することによりラウドスピーカドライバを半球状カップの間で連結され吊り下げられた状態に配置する、たとえばボルトまたはねじなどの締付け手段を介して半球状カップに連結される。
【００３６】
各ラウドスピーカドライバのフェイズプラグを物理的に相互連結するための連結手段を配置することにより、半球状カップ間で吊り下げられて「浮遊する」単一の機械ドライバシステムが形成される。ドライバ磁石は、ラウドスピーカドライバのシャーシよりも著しく高い質量を有するので、ドライバからスピーカシステムのハウジングへの実質的に全ての機械的振動が消去される。
【００３７】
本発明の更なる実施形態によると、スピーカシステムは、ラウドスピーカドライバの間かつドライバピストンの周縁において内側共鳴室内に配置されることによりラウドスピーカドライバ間の共鳴室の内容積を制限する中間Ｃ字形要素を備える。
【００３８】
２つの対向するドライバ間の共鳴室内にＣ字形要素を配置することにより、所与の室幅に関する共鳴室の全容積が最大限に制限され、周波数応答が少なくとも２Ｈｚ更に低減され、その結果、極めて低い音が生成される。
【００３９】
部屋の周囲構造、特に床および壁への音響波の不所望の伝達は、スピーカ内で相殺される。
【００４０】
本発明の更なる実施形態によると、フレーム構造は、ト音記号形状を有する。
【００４１】
本発明の更なる実施形態によると、フレーム構造は、ヘ音記号形状を有する。
【００４２】
ラウドスピーカシステムの構造は、任意の音楽記号の形状または音楽記号の形状を表さない他の任意の形状を有してよい。
【００４３】
本発明は、以下、極めて概略的な図を参照し、実施形態例によって更に詳しく説明される。
【図面の簡単な説明】
【００４４】
【図１】オーディオラウドスピーカシステムの斜視図を示す。
【図２】スピーカシステムの正面図を示す。
【図３】スピーカシステムの側面図を示す。
【図４】スピーカシステムの部分分解斜視図を示す。
【図５】取り外された左側半球状カップを有するラウドスピーカシステムの斜視図を示す。
【図６】半球状カップの分解斜視図を示す。
【図７】図２の直線Ａ−Ａに沿ったスピーカシステムの断側面図を示す。
【図８】図３の直線Ｂ−Ｂに沿ったスピーカシステムの断側面図を示す。
【発明を実施するための形態】
【００４５】
本発明は、以下、本発明の典型的な実施形態が示される添付図面を参照して、より詳しく説明される。ただし、本発明は、様々な形式で具体化されてよく、以下に記載する実施形態に限定されるものと解釈されてはならない。むしろ、これらの実施形態は、本開示が完全かつ十分であり、本発明の範囲を当業者に詳らかに伝達するために提供される。全体を通して、同様の参照番号が同様の要素を指す。したがって、同様の要素は、各図の説明に関して詳しく説明されるわけではない。
【００４６】
図１は、オーディオラウドスピーカシステム１０の斜視図を示す。ラウドスピーカシステム１０は、床面（不図示）においてラウドスピーカシステム１０を支持するための足部３０上に配置されたフレーム構造１２を備える。フレーム構造１２は、ト音記号形状を有する構造として示される。ただし、構造１２の形状は、ト音記号形状に限定されず、任意の音楽記号または非音楽記号の形状を示してよい。フレーム構造１２は更に、ラウドスピーカシステム１０の側面に対し実質的に垂直であるスピーカの前部に向いた表面を有する第１および第２のフレーム構造要素（１２Ａ、１２Ｂ）で積層されたものとして示される。代替実施形態において、フレーム構造１２の前面は、最小限の音の回折のために、先が尖っているか、または湾曲してよい。また、フレーム構造は、積層されているのではなく１片の要素として形成されてよく、または多数の片で積層され得る。フレーム構造１２の両側に、オーディオラウドスピーカシステム１０の第１および第２の外側面を構成する２つの対向する壁要素１４が配置される。対向かつ平行する壁要素１４は、壁要素１４およびフレーム構造１２がハウジングを画定し、また壁要素が、ハウジングの内側表面を構成し、かつハウジング内の共鳴室（不図示）を部分的に画定するように、互いに距離を置いてフレーム１２に配置される。壁要素１４は、たとえばねじ、釘、接着剤、機械式施錠などの任意の適当な取付け手段３２によってフレーム構造１２に固定される。壁要素１４の第１および第２の側面の各々に、半球状カップ１６が配置され、半球状カップ１６の各々は、音波を発生するためのラウドスピーカドライバ（不図示）を封入し、ラウドスピーカドライバは、前面が互いに対向して向き合うように配置され、後端において、たとえばボルトなどの締付け手段１７を介して半球状カップの内側に連結される。半球状カップ１６の各々は、スピーカの後部に向いた、好適にはラウドスピーカドライバピストン面積の４分の１に相当する開口面積を有し、ラウドスピーカドライバ２２を動かすことによって発生するカップ１６内の空気圧を放出させるために構成された後部ポート２０を備える。ラウドスピーカシステムは更に、ラウドスピーカシステム１０の前面に前部ポート１８を備え、前部ポート１８は、対向する壁要素１４の間に、ラウドスピーカドライバ２２間の共鳴室（不図示）と連結した状態で配置される。ラウドスピーカシステム１０のフレーム構造１２は更に、半球状カップ１６より上に垂直方向に伸長し、ミッドレンジドライバ２４およびスーパーツイータ２６を備える。ミッドレンジドライバ２４およびスーパーツイータ２６の各々は、漏斗形エンクロージャ２８内に配置され、エンクロージャ２８は、ラウドスピーカシステム１０の後部方向へ伸長する閉菅状に伸長する球座として形成される。ミッドレンジドライバ２４およびスーパーツイータ２６は、可能な限り互いに密接して配置され、スーパーツイータ２６は、ミッドレンジドライバ２４のハウジングに形成された適合する溝内に置かれる。
【００４７】
ラウドスピーカシステム１０は、足部３０なしで構成されてよい。たとえば、ラウドスピーカは、代替として、ラウドスピーカシステム１０を部屋の床、壁、または天井面に取り付けるための取付けブラケットまたは他の適当な手段を用いて配置され得る。足部３０は、たとえば増幅器、デジタル信号処理（ＤＳＰ）、インタフェース、およびラウドスピーカシステム１０が入力信号から音を生成するための他の任意の電子装置などの電子装置を収容してよい。
【００４８】
図２は、スピーカシステムの正面図を示す。ラウドスピーカシステムは、中心線Ａ−Ａの両側で対称的に構成される。壁要素１４の両側にあるカップ１６の半球形状は、この図から明らかである。前部ポート１８の開口面積は、ラウドスピーカドライバ間の共鳴室と連結した単一の開口部として示され、前部開口部１８は、垂直方向にほぼラウドスピーカドライバ（不図示）の大きさにわたり広がる。
【００４９】
図３は、スピーカシステム１０の側面図を示す。この図は、ラウドスピーカシステム１０の左側面を示し、半球状カップ１６より上に伸長するフレーム構造１２およびミッドレンジドライバおよびスーパーツイータが設置された漏斗形エンクロージャを配置するための中間共鳴室、および半球状カップ１６および中間共鳴室より下に伸長するフレーム構造を明確に示す。対向する壁要素は、フレーム構造１２の縦の大きさの一部のみに伸長し、半球状カップ１６およびフレーム構造１２の後部と一体となり、共鳴室を画定するラウドスピーカハウジングを生成する。
【００５０】
図４は、スピーカシステム１０の部分分解斜視図を示す。この図において、ラウドスピーカシステム１０の片側は分解され、ラウドスピーカドライバ２２と、外側層３６、中間層３８、およびラウドスピーカドライバに向いた内側層４０を備える積層構造を有する半球状カップとを示す。好適には木製である外側層３６は、後部ポート２０の開口面積全体を画定し、中間層３８および内側層は、後部ポートの開口面積を部分的に画定する。
【００５１】
図５は、取り外された１つの半球状カップ１６を有するラウドスピーカシステム１０の斜視図を示す。ラウドスピーカドライバ２２は、半球状カップ内に配置され、カップを通ってラウドスピーカドライバ２２の磁石（不図示）内へ伸長する締付け手段１７を介して半球状カップに連結される。
【００５２】
取付けリング４４は、たとえばねじ（不図示）などの適当な連結手段を介して半球状カップ１６を取付けリング４４に取り付けるための周縁取付け穴のアレイを備える。取付けリング４４は更に、壁要素１４の開口部の周縁外側表面に係合するための周縁当接フランジと、壁要素１４の開口部の内縁面に当接するための内周フランジ（不図示）とを備える。
【００５３】
ラウドスピーカドライバ２２の間に、各ラウドスピーカドライバ２２のフェイズプラグ４８を連結するための連結手段４６（図８に図示）が配置される。各ラウドスピーカドライバ２２はそれによって半球状カップおよび対向するラウドスピーカドライバに連結されているだけであり、ラウドスピーカドライバ２２の一体部分として配置され得る空気密閉ゴムガスケット（不図示）を介して取付けリングに当接するだけである。
【００５４】
図６は、半球状カップ１６の分解斜視図を示す。半球状カップ１６は、好適には木製の外側層３６、好適には合成ゴムを備える中間層３８、およびたとえばシンタクチックフォームなどの吸音材の内側層４０によって示される。３つの層は、好適には、拘束層減衰としての機能を果たすために適当な接着剤によって一体に接着され、半球状カップ１６の外側層３６の内側フランジは、たとえばねじなどの締付け手段を介して取付けリング４４に連結するための取付け穴を有するように示される。
【００５５】
図７は、図２の直線Ａ−Ａに沿った、スピーカシステム１０の断側面図を示す。この図は、ラウドスピーカドライバ２２の１つの前部を向いた共鳴室４２の図を示す。この図は、共鳴室４２が、前部ポート１８において開いており、共鳴室上壁５０によって上方向に境界付けられ、共鳴室下壁５２によって下方向に境界付けられることを明確に示す。Ｃ字形要素３４は、前部ポート１８から最も遠い共鳴室の背部に配置される。Ｃ字形要素３４は、共鳴室４２を後方向に境界付け、２つの対向するラウドスピーカドライバ２２の前面の間に挟まれ、それによって共鳴室４２の全体容積を低減する。図７は更に、ラウドスピーカシステム１０の後部方向へ伸長する閉管状に伸長する球座として配置された漏斗形密閉エンクロージャ２８内にミッドレンジドライバ２４およびスーパーツイータ２６が配置されている断面図を示す。エンクロージャ２８は、フレーム１２の後部の穴を通って伸長し、たとえばネオプレンまたはシリコンシートなどの振動減衰材における穴の中にある。同様に、エンクロージャ２８の前部は、フレーム１２の前部を通って伸長し、たとえばネオプレンまたはシリコンシートなどの振動減衰材内にある。
【００５６】
図８は、図３の直線Ｂ−Ｂに沿った、スピーカシステムの正面断面図を示す。この図は、半球状カップ１６内のラウドスピーカドライバ２２の配置を示す。各ラウドスピーカドライバ２２は、半球状カップを通ってラウドスピーカドライバの磁石内へ伸長するたとえばねじまたはボルトなどの締付け手段１７を介して、また各ラウドスピーカドライバ２２のフェイズプラグを相互連結するために配置された連結手段４６を介して、ラウドスピーカシステムに連結されているだけである。それによって、ラウドスピーカドライバ２２は、取付けリング４４を通って「浮遊」状態に配置され、好適には中間ゴムシールを介して、取付けリング４４に当接しているだけである。
【００５７】
連結手段４６は、ねじ棒およびナット構成を備え、ねじ棒は、ラウドスピーカドライバの１つに連結され、ナットを有する棒は、ラウドスピーカドライバの他方の１つに連結され、連結されると、２つの対向するラウドスピーカドライバ２２は単一の物理システムに連結され、ここで、ドライバピストンおよびコイルによって誘発された均等かつ相反する振動運動が相殺される。
【００５８】
以下、本発明の詳細な説明および本発明の詳細な説明で参照された図面において用いられた参照符号の一覧を記載する。
【符号の説明】
【００５９】
１０  オーディオラウドスピーカシステム
１２  フレーム構造
１２Ａ  第１のフレーム構造要素
１２Ｂ  第２のフレーム構造要素
１４  壁要素
１６  半球状カップ
１７  締付け手段
１８  前部ポート
２０  後部ポート
２２  ラウドスピーカドライバ
２４  ミッドレンジドライバ
２６  スーパーツイータ
２８  漏斗形エンクロージャ
３０  スピーカ足部
３２  締付け手段
３４  Ｃ字形要素
３６  外側層
３８  中間層
４０  内側層
４２  共鳴室
４４  取付けリング
４６  ドライバ連結手段
４８  フェイズプラグ
５０  共鳴室上壁
５２  共鳴室下壁
【図１】
2021535647.tif 000003
【図２】
2021535647.tif 000004
【図３】
2021535647.tif 000005
【図４】
2021535647.tif 000006
【図５】
2021535647.tif 000007
【図６】
2021535647.tif 000008
【図７】
2021535647.tif 000009
【図８】
2021535647.tif 000010
【国際調査報告】
2021535647.tif 000011
2021535647.tif 000012
2021535647.tif 000013